(57)【要約】【課題】被介護者から排泄される主に軟便がフロントパーツ側に移行するのを有効に防ぐことのできる介護用おむつパッドを提供する。【解決手段】被介護者の主に下腹部を覆うこととなるフロントパーツ２と、主に臀部を覆うこととなるバックパーツ３とからなる吸水性素材を主体とした介護用のおむつパッドである。当該おむつパッド本体１の肌に触れる側であって、且つ前記フロントパーツ２とバックパーツ３の境目付近幅方向に沿ってバックパーツ３側を開口部５とした便返し突片４を縫着するようにした。また、当該便返し突片４に代えて便返し用の突条１１を形成した。【選択図】　図２
2004073625.tif 000002
【特許請求の範囲】
【請求項１】
被介護者の主に下腹部を覆うこととなるフロントパーツと、主に臀部を覆うこととなるバックパーツとからなる吸水性素材を主体とした介護用のおむつパッドにおいて、当該パッド本体の肌に触れる側であって、且つ前記フロントパーツとバックパーツの境目付近幅方向に沿ってバックパーツ側を開口部とした便返し突片を縫着したことを特徴とする介護用おむつパッド。
【請求項２】
被介護者の主に下腹部を覆うこととなるフロントパーツと、主に臀部を覆うこととなるバックパーツとからなる吸水性素材を主体とした介護用のおむつパッドにおいて、当該パッド本体の肌に触れる側であって、且つ前記フロントパーツとバックパーツの境目付近幅方向に沿って便返し用の突条を形成したことを特徴とする介護用おむつパッド。
【発明の詳細な説明】
【０００１】
【発明の属する技術分野】
本発明は被介護者から排泄される主に軟便がフロントパーツ側に移行するのを有効に防ぐことのできる介護用おむつパッドに関するものである。
【０００２】
【従来の技術】
被介護者からの排泄物が外部に漏れるのを防ぐため、従来より吸水性素材を主体としたおむつパッドが使用されているが、従来の介護用おむつパッドは被介護者の主に下腹部を覆うフロントパーツと、被介護者の主に臀部を覆うバックパーツとを単純に連設した構造となっていた。
【０００３】
【発明が解決しようとする課題】
被介護者から排泄される大便は、食事内容や投薬の関係で、軟便となることが多く、流動性が大きいため、前記した従来構造のおむつパッドによった場合は、おむつパッドのバックパーツ側よりフロントパーツ側に移行して被介護者の下腹部付近が不衛生となり、皮膚炎を始めとした諸種の皮膚疾患の要因にもなるという重大な問題点がある。
【０００４】
そこで、本発明は、被介護者から排泄される大便、特に軟便がバックパーツよりフロントパーツ側に移行するのを有効に防いで被介護者の下腹部付近が不衛生になるのを防ぐことのできる介護用おむつパッドを提供することを目的とするものである。
【０００５】
【課題を解決するための手段】
前記目的を達成するための本発明の構成を詳述すれば、請求項１に係る発明は、被介護者の主に下腹部を覆うこととなるフロントパーツと、主に臀部を覆うこととなるバックパーツとからなる吸水性素材を主体とした介護用のおむつパッドにおいて、当該パッド本体の肌に触れる側であって、且つ前記フロントパーツとバックパーツの境目付近幅方向に沿ってバックパーツ側を開口部とした便返し突片を縫着したことを特徴とする介護用おむつパッドである。
【０００６】
また、請求項２に係る発明は、被介護者の主に下腹部を覆うこととなるフロントパーツと、主に臀部を覆うこととなるバックパーツとからなる吸水性素材を主体とした介護用のおむつパッドにおいて、当該パッド本体の肌に触れる側であって、且つ前記フロントパーツとバックパーツの境目付近幅方向に沿って便返し用の突条を形成したことを特徴とする介護用おむつパッドである。
【０００７】
本発明介護用おむつパッドは上記のように、フロントパーツとバックパーツの境目付近の幅方向に沿ってバックパーツ側を開口部とした便返し突片を縫着するか、または便返し用の突条を形成するようにしたものであるから被介護者の臀部から排泄される大便、特に軟便は当該便返し突片または便返し用の突条によって被介護者の下腹部を覆うフロントパーツ側に移行拡散するを阻止され、下腹部が大便に含まれる雑菌によって炎症を起こすのを有効に防ぐことができるものである。
【０００８】
【発明の実施の形態】
以下、本発明に係る介護用おむつパッドの具体的構成を図示の実施形態に基づき詳細に説明する。
図１は本発明に係る介護用おむつパッドの一実施形態を示す展開図、図２は便返しの詳細を示す図１のＡ−Ａ線に沿った拡大断面図、図３はフロントパーツとバックパーツの境目付近幅方向に沿って形成した便返し用突条の詳細を示す断面図であり、図１のＡ−Ａ線に相当するものである。
【０００９】
図中１は主に吸水性素材を主体としたおむつパッド本体であり、２は当該おむつパッド本体１におけるフロントパーツ、３は当該フロントパーツ２に連設されたバックパーツをそれぞれ示すものである。なお、フロントパーツ２は被介護者の主に下腹部を覆うものであり、バックパーツ３は被介護者の主に臀部を覆うものである。
【００１０】
このようなフロントパーツ２と、バックパーツ３とから構成される介護用のおむつパッド本体１において、本発明は当該パッド本体１の肌に触れる側であって、且つ前記フロントパーツ２とバックパーツ３の境目付近幅方向に沿ってバックパーツ３側を開口部５とした便返し突片４を縫着形成するか、またはフロントパーツ２とバックパーツ３の境目付近幅方向に沿って便返し用の突条１１を形成して、被介護者から排泄される大便、特に軟便がバックパーツ３側からフロントパーツ２側に移行拡散するのを防止するようにしたものである。
【００１１】
図１および図２に示す実施形態においてはフロントパーツ２およびバックパーツ３の肌に触れる側の表面布帛６を、その境目付近において二重構造が形成されるように両端部および幅方向に沿って縫い糸７を以って縫着して便返し突片４の開口部５がバックパーツ３側となるようにしたものであるが、要は被介護者からの排泄物がフロントパーツ２側に移行拡散するのを防止するためのものであるから、表面布帛６とは別素材を以ってフロントパーツ２とバックパーツ３の境目付近幅方向に沿って便返し突片４を形成するようにしてもよいのは勿論である。
【００１２】
前記したように便返し突片４は表面布帛６と同素材を以って形成するようにしてもよいが、好ましくは柔軟性を有する非透水性素材を用いてフロントパーツ２とバックパーツ３の境目付近に形成するようにすると一層効果的である。また、表面布帛６を折り返して便返し突片４を形成するにしても、重なり合う部分の内部に図示しない柔軟性を有する非透水性シートを挿着して形成することにより軟便状排泄物の移行に対処することができる。
【００１３】
図３に示す実施形態においては前記便返し突片４に代えてフロントパーツ２とバックパーツ３の境目付近幅方向に沿って便返し用の突条１１を形成し、被介護者から排泄される軟便状排泄物を当該突条１１にて堰止めるようにしたものである。なお、便返し用の突条１１はスポンジ状の弾性体を使用してもよいし、あるいはソフトなフェルト状の芯材を用いるようにしてもよい。その断面形状は図示のものは円形状となっているが、矩形状、台形状等任意に変更が可能である。
【００１４】
また、突条１１の形成手段としては突条１１の外周部をシートないし布帛１２で覆い、当該シートないし布帛１２の余剰部分を表面布帛６に縫い付けるようにしてもよいし、あるいは素材的に内部の芯材８と相溶性のある発泡合成樹脂を用いるような場合は当該芯材８に融着させて突条１１を形成するようにすることもできる。
【００１５】
このように、本発明に係るおむつパッドついては便返し突片４および便返し用の突条１１部分に関していくつかの改変が可能であり、当該改変内容についても要は被介護者からの排泄物がフロントパーツ２側からバックパーツ３側へ容易に移行するのを防ぐことができるものであれば、全て本発明の範囲に含まれるのは云うまでもないところである。
【００１６】
なお、図示の実施形態においては、フロントパーツ２およびバックパーツ３はともに吸水性素材を以って芯材８とし、当該芯材８の上面、すなわち肌に触れる側にソフトタッチの表面布帛６を張設するようにしてあるが、下面側には非透水性と、場合によっては伸縮性を有する外側布帛９を張設するようにしてもよいのは勿論である。
【００１７】
本発明に係る介護用おむつパッドは図１および図２に示す実施形態の場合、フロントパーツ２とバックパーツ３の境目付近の幅方向に沿ってバックパーツ３側を開口部５とした便返し突片４を形成したものであるから、被介護者から排泄される大便、特に軟便状排泄物は便返し突片４の開口部５より内部の便溜まり１０に入ってフロントパーツ２側への移行が阻止されることとなる。したがって、被介護者の下腹部周辺が大便中に含まれる細菌の作用で皮膚障害を起こすのを有効に防ぐことができるものである。
【００１８】
また、図３に示す実施形態のパッドにおいては、前記便返し突片４に代えてフロントパーツ２とバックパーツ３の境目付近幅方向に沿って便返し用の突条１１を形成したものであるから、被介護者から排泄される軟便は当該突条１１によって堰止められ、バックパーツ３側からフロントパーツ２側への移行が有効に阻止される。
【００１９】
本発明に係るおむつパッドは、使用にあたっては原則としてその外側を、非透水性素材で作成されたおむつカバーで覆うものである。また、本発明ではおむつパッドとしているが、パッドとおむつカバーが合体された構造のもの等にも本発明を適用できるのは云うまでもない。
【００２０】
【発明の効果】
このように、本発明によれば被介護者から排泄される主に軟便が、下腹部を覆うフロントパーツ側に移行拡散するのを有効に防ぐことができ、被介護者の快適性に資することができるものである。
【図面の簡単な説明】
【図１】本発明に係る介護用おむつパッドの一実施形態を示す展開図である。
【図２】便返しの詳細を示す図１のＡ−Ａ線に沿った拡大断面図である。
【図３】フロントパーツとバックパーツの境目付近幅方向に沿って形成した便返し用突条の詳細を示す断面図であり、図１のＡ−Ａ線に相当するものである。
【符号の説明】
１：おむつパッド本体　　　　　　　２：フロントパーツ
３：バックパーツ　　　　　　　　　４：便返し突片
５：開口部　　　　　　　　　　　　６：表面布帛
７：縫い糸　　　　　　　　　　　　８：芯材
９：外側布帛　　　　　　　　　　１０：便溜まり
１１：便返し用の突条　　　　　　　１２：シートないし布帛
【図１】
2004073625.tif 000003
【図２】
2004073625.tif 000004
【図３】
2004073625.tif 000005